(57)【要約】      （修正有）【課題】列の数を増やして頁数を増加させたり、行の数を増やしたりして、情報量を多くしても使いやすいからくり手帳用の型紙及びからくり手帳を提供する。【解決手段】一対の左頁部６と右頁部７と、一対の上端巻帯３と下端巻帯５とによって周囲が額縁状に形成され、その内側には少なくとも１個の巻付帯４を有するからくり手帳用の型紙２を用いる。この型紙２は、行と列とで区画される格子状をした多数の四角形を有しており、その四角形の一部には、文字、図形、記号等が記載されている。左頁部６と右頁部７は、同一寸法であり、上端巻帯３と下端巻帯５とによって互いに連結されて糊付部８ａが形成されている。上端巻帯３と、下端巻帯５と、巻付帯４とは同一の長さ寸法である。巻付帯４は、細長の帯状をしており、一辺が連結部を介して左頁部６と連結され、他の三辺は切込み部で解放されて端部１０を有している。その端部１０には、糊付部８ｂが形成されている。【選択図】図１
0003204613.tif 000002
【実用新案登録請求の範囲】
【請求項１】
一対の左頁部と右頁部と、一対の上端巻帯と下端巻帯とによって周囲が額縁状に形成され、その内側に少なくとも１個の巻付帯を有するからくり手帳用の型紙であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯とによって互いに連結されており、
前記左頁部又は前記右頁部のいずれか一方には前記四角形をした糊付部が形成されており、
前記上端巻帯と、前記下端巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されている
ことを特徴とするからくり手帳用の型紙。
【請求項２】
一対の左頁部と右頁部と、一対の上端巻帯と下端巻帯とによって周囲が額縁状に形成され、その内側に少なくとも１個の中央巻帯と、該中央巻帯よりも１個多い数の巻付帯を有するからくり手帳用の型紙であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯と前記中央巻帯とによって互いに連結されており、
前記左頁部又は前記右頁部のいずれか一方には前記四角形をした糊付部が形成されており、
前記上端巻帯と、前記下端巻帯と、前記中央巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されている
ことを特徴とするからくり手帳用の型紙。
【請求項３】
前記左頁部は、縦方向に折り曲げられて形成される左外側頁部と左内側頁部を有するものであり、
前記右頁部は、縦方向に折り曲げられて形成される右外側頁部と右内側頁部を有するものである
ことを特徴とする請求項１又は請求項２に記載のからくり手帳用の型紙。
【請求項４】
前記左外側頁部と前記左内側頁部で形成される前記左頁部の内側と、
前記右外側頁部と前記右内側頁部で形成される前記右頁部の内側には、
それぞれ厚紙が挿入されている
ことを特徴とする請求項３に記載のからくり手帳用の型紙。
【請求項５】
前記上端巻帯及び前記下端巻帯は、
前記巻付帯又は前記中央巻帯よりも幅広のものである
ことを特徴とする請求項１又は請求項２に記載のからくり手帳用の型紙。
【請求項６】
一対の左頁部と右頁部と、一対の上端巻帯と下端巻帯とによって周囲が額縁状に形成され、その内側に少なくとも１個の巻付帯を有するからくり手帳用の型紙を用いるからくり手帳であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯とによって互いに連結されており、
前記左頁部又は前記右頁部のいずれか一方には前記四角形をした糊付部が形成されており、
前記上端巻帯と、前記下端巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されており、
前記上端巻帯及び前記下端巻帯は、
格子状をした四角形ごとに谷折りされて前記右頁部に巻きつけられており、
前記巻付帯は、
前記連結部を谷折りして前記左頁部に巻きつけられており、
前記巻付帯の端部の糊付部は、前記左頁部又は前記右頁部の糊付部に固着されていることを特徴とするからくり手帳。
【請求項７】
一対の左頁部と右頁部と、一対の上端巻帯と下端巻帯とによって周囲が額縁状に形成され、その内側に少なくとも１個の中央巻帯と、該中央巻帯よりも１個多い数の巻付帯を有するからくり手帳用の型紙を用いるからくり手帳であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯と前記中央巻帯とによって互いに連結されており、
前記左頁部又は前記右頁部のいずれか一方には前記四角形をした糊付部が形成されており、
前記上端巻帯と、前記下端巻帯と、前記中央巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されており、
前記上端巻帯、前記下端巻帯及び前記中央巻帯は、
格子状をした四角形ごとに谷折りされて前記右頁部に巻きつけられており、
前記巻付帯は、
前記連結部を谷折りして前記左頁部に巻きつけられており、
前記巻付帯の端部の糊付部は、前記左頁部又は前記右頁部の糊付部に固着されていることを特徴とするからくり手帳。
【考案の詳細な説明】
【技術分野】
【０００１】  本考案は、隠れている頁が次々に現れるからくり手帳用の型紙及びその型紙を用いるからくり手帳に関するものである。
【背景技術】
【０００２】  従来から、おもて面と裏面にバラバラの文字、図形、記号等を描いた一枚の型紙を折りたたむ事によって、隠れている頁が次々に現れる機能を有するからくり手帳又は変わり絵パズルなどと呼ばれている「からくりおもちゃ」がある（非特許文献１、非特許文献２）。
図２０は、３行４列構造をした従来のからくり手帳１の型紙２であり、図２１は、その型紙２を用いるからくり手帳１の製作方法であり、図２２は、製作したからくり手帳１の使い方をそれぞれ示している。
図２０の型紙２を用いると、図２１及び図２２に示されるように、それぞれ６個のＡ，Ｂ，Ｃ、Ｄが表示される計８頁のからくり手帳１を作製することができる。
【先行技術文献】
【特許文献】
【非特許文献１】  内藤  朗  編、「ふしぎ  ふしぎ  しかけで動く  からくり工作」、増補改訂版、株式会社プチック社、Ｐ６４
【非特許文献２】  多田  信作  著、「からくりおもちゃ工作」、株式会社池田書店、Ｐ１１２―１１３
【考案の概要】
【考案が解決しようとする課題】
【０００３】  しかしながら、従来のからくり手帳１は、巻付帯４の端部がヒラヒラとした状態であり固定されていなかった。したがって、従来のからくり手帳１で遊んでいるうちに、巻付帯４に巻きズレが起きたり、外れたり、反対面を向いたりして使いにくいものであった（図２１（ｂ）、図２２（ｂ）等）。
なお、図２０〜図２２のように、従来から使用されているような３行４列程度の少ない情報量で十分なからくり手帳１では、多少の不便さを感じる程度ではあるが大きな問題点とはなっていなかった。
しかしながら、行数や列数をさらに増加させていくと、１個又は複数個の巻付帯４の端部がヒラヒラとした不安定な状態では、実用的な使用には耐えられないという問題点があった。また、上端巻帯３や下端巻帯５が、使用中に外れてしまうという問題点もあった。
【課題を解決するための手段】
【０００４】  本考案は、上記した従来の問題点の解決を目的としている。
請求項１に記載した考案は、
一対の左頁部と右頁部と、一対の上端巻帯と下端巻帯とによって周囲が額縁状に形成され、その内側に少なくとも１個の巻付帯を有するからくり手帳用の型紙であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯とによって互いに連結されており、
前記左頁部又は前記右頁部のいずれか一方には前記四角形をした糊付部が形成されており、
前記上端巻帯と、前記下端巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されている
ことを特徴としている。
請求項１に記載の考案を用いると、からくり手帳を１枚のシートから構成できるので、容易にかつ低コストで作製することができる。また、巻付帯が左頁部や右頁部に固着されているので、巻付帯の端部がヒラヒラと動いたり、外れたりすることもなく、使いやすい構造をしたからくり手帳を提供することができる。【０００５】  請求項２に記載した考案は、
一対の左頁部と右頁部と、一対の上端巻帯と下端巻帯とによって周囲が額縁状に形成され、その内側に少なくとも１個の中央巻帯と、該中央巻帯よりも１個多い数の巻付帯を有するからくり手帳用の型紙であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯と前記中央巻帯とによって互いに連結されており、
前記左頁部又は前記右頁部のいずれか一方には前記四角形をした糊付部が形成されており、
前記上端巻帯と、前記下端巻帯と、前記中央巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されている
ことを特徴としている。
請求項２に記載の考案を用いると、複数個の巻付帯の糊付面により、よりしっかりと左頁部や右頁部に固着できるので、行の数を増やした場合でも、巻きズレなどが起きたり、外れたりしにくくすることができる。【０００６】  請求項３に記載した考案は、請求項１又は請求項２に記載した考案において、
前記左頁部は、縦方向に折り曲げられて形成される左外側頁部と左内側頁部を有するものであり、
前記右頁部は、縦方向に折り曲げられて形成される右外側頁部と右内側頁部を有するものである
ことを特徴としている。
請求項４に記載した考案は、請求項３に記載した考案において、
前記左外側頁部と前記左内側頁部で形成される前記左頁部の内側と、
前記右外側頁部と前記右内側頁部で形成される前記右頁部の内側には、
それぞれ厚紙が挿入されている
ことを特徴としている。
請求項３又は請求項４に記載した考案を用いると、列の数を増やすことによって頁数をさらに増加させたような場合でも、巻きズレなどが起きにくくできるとともに、開きやすく、使いやすくすることができる。【０００７】  請求項５に記載した考案は、請求項１又は請求項２に記載した考案において、
前記上端巻帯及び前記下端巻帯は、
前記巻付帯又は前記中央巻帯よりも幅広のものである
ことを特徴としている。
請求項５の考案を用いると、列の数を増やすことによって頁数を増加させたり、行の数を増やしたりするような場合でも、さらに巻きズレなどが起きたり、ほどけたり、外れたりしにくくすることができる。【０００８】  請求項６に記載した考案は、
一対の左頁部と右頁部と、一対の上端巻帯と下端巻帯とによって周囲が額縁状に形成され、その内側に少なくとも１個の巻付帯を有するからくり手帳用の型紙を用いるからくり手帳であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯とによって互いに連結されており、
前記左頁部又は前記右頁部のいずれか一方には前記四角形をした糊付部が形成されており、
前記上端巻帯と、前記下端巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されており、
前記上端巻帯及び前記下端巻帯は、
格子状をした四角形ごとに谷折りされて前記右頁部に巻きつけられており、
前記巻付帯は、
前記連結部を谷折りして前記左頁部に巻きつけられており、
前記巻付帯の端部の糊付部は、前記左頁部又は前記右頁部の糊付部に固着されていることを特徴としている。【０００９】  請求項７に記載した考案は、
一対の左頁部と右頁部と、一対の上端巻帯と下端巻帯とによって周囲が額縁状に形成され、その内側に少なくとも１個の中央巻帯と、該中央巻帯よりも１個多い数の巻付帯を有するからくり手帳用の型紙を用いるからくり手帳であって、
前記型紙は、
行と列とで区画される格子状をした多数の四角形を有するものであり、
該四角形の少なくとも一部には、文字、図形、記号等が記載されており、
前記左頁部と前記右頁部は、
同一寸法で、前記上端巻帯と前記下端巻帯と前記中央巻帯とによって互いに連結されており、
前記左頁部又は前記右頁部のいずれか一方には前記四角形をした糊付部が形成されており、
前記上端巻帯と、前記下端巻帯と、前記中央巻帯と、前記巻付帯とは同一の長さ寸法であり、
前記巻付帯は、
細長の帯状をしており、一辺が連結部を介して前記左頁部と連結され、他の三辺は切込み部で解放されている前記四角形をした端部を有するものであり、
該端部には糊付部が形成されており、
前記上端巻帯、前記下端巻帯及び前記中央巻帯は、
格子状をした四角形ごとに谷折りされて前記右頁部に巻きつけられており、
前記巻付帯は、
前記連結部を谷折りして前記左頁部に巻きつけられており、
前記巻付帯の端部の糊付部は、前記左頁部又は前記右頁部の糊付部に固着されていることを特徴としている。【００１０】  請求項６及び請求項７に係わる考案を用いると、列の数を増やすことによって頁数を増加させたり、行の数を増やしたりするような場合でも、巻付帯、上端巻帯及び下端巻帯などに巻きズレが起きたり、外れたりしにくくできる。したがって、使いやすいからくり手帳を提供することができる。
【考案の効果】
【００１１】  本考案を用いると、列の数を増やすことによって頁数を増加させたり、行の数を増やしたりして情報量を多くしても、巻付帯４、上端巻帯３及び下端巻帯５などに巻きズレが起きたり、外れたりしにくくできるので、使いやすい構造をしたからくり手帳を提供することができる。
したがって、本考案を用いると行数や列数が多く、それに伴って表示される情報量の多いからくり手帳、例えば、元素の長周期表や単位換算表などのような教育上有意義なからくり手帳を低コストで作製することができる。
【図面の簡単な説明】
【００１２】
【図１】  実施例１（３行、４列）の型紙２である。（ａ）型紙２の基本構造（おもて面）。（ｂ）おもて面の各四角形の記号（Ａ，Ｂ，Ｃ）配置。（ｃ）裏面の各四角形の記号（Ａ，Ｂ，Ｃ）及び糊付部８ａ，ｂの配置。
【図２】  実施例１のからくり手帳１の製作方法である。（ａ）巻付帯４と左頁部６の連結部９を谷折りして左側に折り返す。（ｂ）巻付帯４を谷折りして左頁部６に巻く。右頁部７と上端巻帯３及び下端巻帯５を谷折りして折り返す。（ｃ）左頁部６と上端巻帯３及び下端巻帯５を山折して左側に折り返す。巻付帯４の糊付部８ｂと右頁部７の糊付部８ａを糊付して固着する。（ｄ）からくり手帳１のおもて側と裏側。
【図３】  実施例１のからくり手帳１の使用方法である。（ａ）おもて側には６個のＡ文字が並んでいる。（ｂ）左右の頁の中央部を開いていく。（ｃ）次の頁のＢ文字が見えてくる。（ｄ）さらに開くと６個のＢ文字が並ぶ。（ｅ）裏側には６個のＡ文字が並ぶ。
【図４】  実施例２（３行、８列、地質時代年表）の型紙２である。（ａ）おもて面の各四角形の記号等の配置。（ｂ）裏面の各四角形の記号等及び糊付部８ａ，ｂの配置。
【図５】  実施例３（３行、１３列、長周期表）の型紙２である。（ａ）おもて面の各四角形の元素記号及び糊付部８ａの配置。（ｂ）裏面の各四角形の元素記号及び糊付部８ｂの配置。
【図６】  実施例３のからくり手帳１の製作方法である。（ａ）左頁部６の左外側頁部１１と左内側頁部１３を山折して厚紙１９ａを挟む。右頁部７の右外側頁部１５と右内側頁部１７を山折して厚紙１９ｂを挟む。（ｂ）巻付帯４を谷折りして左側に折り返す。（ｃ）巻付帯４を左頁部６に巻く。上端巻帯３と下端巻帯５を右頁部７に巻く。（ｄ）巻付帯４の糊付部８ｂと、右頁部７の糊付部８ａとを固着する。
【図７】  実施例３のからくり手帳１（長周期表）の使用方法である。（ａ）おもて側には１族（Ｈ、Ｌｉ等）と２族（Ｂｅ、Ｍｇ等）の元素。（ｂ）左右の列の中央部を開くと３族と４族の元素が現れる。（ｃ）この作業を繰り返すと１５族と１６族の元素が現れる。（ｄ）１７族（Ｆ、Ｃｌ等）と１８族（Ｈｅ、Ｎｅ等）で最終頁となる。
【図８】  実施例４のからくり手帳の型紙２である。（ａ）おもて面の記号配置。（ｂ）裏面の記号、糊付部２５ａ，ｂ、及び糊付部２７ａ，ｂの配置。
【図９】  実施例４のからくり手帳１の製作方法である。（ａ）巻付帯２１ａ，ｂを谷折りして左側に折り返す。右頁部７を谷折りして左側に折り返す。（ｂ）巻付帯２１ａ，ｂを左頁部６に巻く。右頁部７に、上端巻帯３、下端巻帯５び中央巻帯２３を巻く。（ｃ）糊付部２７ａ，ｂと糊付部２５ａ，ｂを固着する。（ｄ）おもて側の１頁目に長さ、単位の換算表が現れる。
【図１０】  実施例４のからくり手帳１（単位換算表）の使用方法である。（ａ）最初の頁の裏側には質量、単位の換算表がある。（ｂ）最初の頁のおもて側の中央部を開いていく。（ｃ）次頁目の面積、単位の換算表が現れる。（ｄ）さらに中央部を開くと体積、単位の換算表が現れる。
【図１１】  実施例５の型紙２である。（ａ）おもて面の各四角形の文字等の配置。（ｂ）裏面の各四角形の文字等、糊付部２５ａ，ｂ、及び糊付部２７ａ，ｂの配置。
【図１２】  実施例６の型紙２である。（ａ）おもて面の各四角形の元素配置。（ｂ）裏面の各四角形の元素及び糊付部３５ａ，ｂ，ｃ及び糊付部３７ａ，ｂ，ｃの配置。
【図１３】  実施例６の作製方法及び使い方である。（ａ）巻付帯３１ａ，ｂ，ｃを左側に折り返す。右頁部７を、上端巻帯３、下端巻帯５及び中央巻帯３３ａ，ｂに対して左側に折り返す。（ｂ）巻付帯３１ａ，ｂ、ｃを左頁部６に巻く。右頁部７に、上端巻帯３、下端巻帯５及び中央巻帯３３ａ，ｂを巻く。（ｃ）糊付部３７ａ，ｂ，ｃと糊付部３５ａ，ｂ，ｃとを固着する。（ｄ）からくり手帳１の中央部を順に開くと別の族が現れる。
【図１４】  実施例７の型紙２である。（ａ）おもて面の各四角形の元素配置。（ｂ）裏面の各四角形の元素、糊付部３５ａ，ｂ，ｃ及び糊付部３７ａ，ｂ，ｃの配置。
【図１５】  実施例７の作製方法及び使い方である。（ａ）巻付帯３１ａ，ｂ，ｃを左側に折り返す。右頁部７を、上端巻帯３、下端巻帯５及び中央巻帯３３ａ，ｂに対して左側に折り返す。（ｂ）（ｃ）巻付帯３１ａ，ｂ、ｃを左頁部６に巻く。右頁部７に、上端巻帯３、下端巻帯４及び中央巻帯３３ａ，ｂを巻く。（ｄ）糊付部３７ａ，ｂ，ｃと糊付部３５ａ，ｂ，ｃとを固着する。（ｅ）からくり手帳１の中央部を順に開くと別の族が現れる。
【図１６】  実施例８の型紙２である。（ａ）おもて面の各四角形の元素配置。（ｂ）裏面の各四角形の元素、糊付部３５ａ，ｂ，ｃ及び糊付部３７ａ，ｂ，ｃの配置。
【図１７】  実施例８の作製方法及び使い方である。（ａ）巻付帯３１ａ，ｂ，ｃを左側に折り返す。右頁部７を、上端巻帯３、下端巻帯５及び中央巻帯３３ａ，ｂに対して左側に折り返す。（ｂ）巻付帯３１ａ，ｂ、ｃを左頁部６に巻く。右頁部７に、上端巻帯３、下端巻帯５び中央巻帯３３ａ，ｂを巻く。（ｃ）糊付部３７ａ，ｂ，ｃと糊付部３５ａ，ｂ，ｃとを固着する。（ｄ）からくり手帳１の中央部を順に開くと別の族が現れていく。
【図１８】  実施例９の上端巻帯３と下端巻帯５が幅広の型紙２である。（ａ）おもて面の各四角形の元素及び糊付部３５ａ，ｂ，ｃの配置。（ｂ）裏面の各四角形の元素及び糊付部３７ａ，ｂ，ｃの配置。
【図１９】  実施例９の作製方法及び使い方である。（ａ）左外側頁部１１と左内側頁部１３の間に厚紙１９ａを挟み込む。同様に、右外側頁部１５と右内側頁部１７の間に厚紙１９ｂを挟み込む。（ｂ）巻付帯３１ａ，ｂ，ｃを左側に折り返す。（ｃ）左頁部６に巻付帯３１ａ，ｂ，ｃを巻く。右頁部７に、上端巻帯３、中央巻帯３３ａ，ｂ及び下端巻帯５を巻く。（ｄ）糊付部３７ａ，ｂ，ｃと糊付部３５ａ，ｂ，ｃとを固着する。
【図２０】  従来例（３行、４列）の糊付部を有しない型紙である。（ａ）おもて面の各四角形の記号（Ａ，Ｂ，Ｃ，Ｄ）配置。（ｃ）裏面の各四角形の記号（Ａ，Ｂ，Ｃ，Ｄ）配置。
【図２１】  従来例の作製方法である。（ａ）巻付帯４を裏側に折り返して右頁部７に巻きつける。（ｂ）左頁部６をを山折して裏側に折り返す。右頁部７と上端巻帯３及び下端巻帯５境界を山折して折り返す。（ｃ）からくり手帳１のおもて側には６個のＡ文字が並ぶ。（ｄ）からくり手帳１の裏側には６個のＢ文字が並んでいる。
【図２２】  従来例のからくり手帳の使用方法である。（ａ）最初の頁の裏側には６個のＢ文字が並んでいる。（ｂ）Ｂ文字が並ぶ列の中央部を開いていく。（ｃ）２頁目のＣ文字が見えてくる。（ｄ）さらに開くと３頁目には６個のＤ文字が並ぶ。
【考案を実施するための形態】
【００１３】  本考案に係わるからくり手帳用の型紙及びからくり手帳について、図１〜図１９を用いて詳細に説明する。本考案を用いたからくり手帳１は、列の数を増やすことによって頁数を増加させたり、行数を増やしたりしても巻付帯４、上端巻帯３及び下端巻帯５などに巻きズレなどが起きたり、外れたりしにくくすることができる。
その結果、元素の周期表や単位換算表などのように、頁数や行数が多く情報量の多いからくり手帳（行数や列数の多い表形式のもの）を容易にかつ低コストで作製することができる。
【実施例１】
【００１４】  本考案の実施例１について、図１〜図３を用いて説明する。図１は、本考案のからくり手帳１を構成する最小単位である３行、４列の格子状をした多数の四角形を有する型紙２である。この型紙２の材質には、紙製や樹脂製などの１枚のシートを用いることができる。実施例１の型紙２を用いると、それぞれ６個のＡ，Ｂ，Ｃが表示される計６頁のからくり手帳１を作製することができる。
＜型紙＞【００１５】  この型紙２は、行と列とで区画される格子状をした多数の四角形を有するものであり、その両面（おもて面及び裏面）の一部の四角形には、アルファベット文字（Ａ，Ｂ，Ｃ）が記載されている（図１（ｂ）、（ｃ））。
実施例１の型紙２は、一対の左頁部６と右頁部７と、一対の上端巻帯３と下端巻帯５とによって周囲が額縁状に形成されており、額縁状をした内側には１個の巻付帯４を有している。
左頁部６と右頁部７とは同一寸法であり、上端巻帯３と下端巻帯５と巻付帯４とは同一寸法である。この左頁部６及び右頁部７は、上端巻帯３と下端巻帯５とによって互いに連結されている。
内側の巻付帯４は、細長の帯状をしたものである。巻付帯４の一辺は、連結部９を介して左頁部６と連結され、他の三辺は切込み部によって上端巻帯３、下端巻帯５及び右頁部７と分離されて解放されており、右端に四角形をした端部１０を有するものである（図１（ａ））。
巻付帯４の裏面の四角形をした端部１０の一部には、糊付部８ｂが形成されており、後述するように対向して固着される右頁部７の一部にも四角形をした糊付部８ａが形成されている（図１（ｃ））。
本実施例１及び後述する実施例では、説明を容易にするために、巻付帯４の連結部９が左側（左頁部６）にある面を型紙２のおもて面（図１（ａ）、（ｂ））とし、巻付帯４の連結部９が右側（右頁部７）にある面を型紙２の裏面（図１（ｃ））と呼ぶことにした。この状態で、格子状をした多数の四角形の山折り、谷折りなどの実施例が記述されている。なお、図２０は従来の型紙では、連結部９が右側にある面をおもて面としているが前述した非特許文献１および非特許文献２にはそのように記載されているので、そのまま記載することにした。
＜からくり手帳の製作方法＞【００１６】  次に、図２を用いてからくり手帳１の製作方法について説明する。
巻付帯４は、連結部９を谷折りして左頁部６に巻きつける（図２（ａ）、（ｂ））。巻付帯４の連結部９と左頁部６の境界を谷折りして左側に折り返し、さらに巻付帯４の中央部分を谷折りして上方から左頁部６に巻きつける。すなわち、巻付帯４は、格子状をした四角形ごとに谷折りされて左頁部６に巻きつけられる。
上端巻帯３及び下端巻帯５は、谷折りして右頁部７に巻きつける（図２（ｂ）、（ｃ））。右頁部７の左端と、上端巻帯３及び下端巻帯５の格子状をした境界を谷折りして折り返し、右頁部７に上端巻帯３及び下端巻帯５を巻きつけていく。最後に左頁部６と上端巻帯３及び下端巻帯５の境界を山折して左側に折り返す。すなわち、上端巻帯３及び下端巻帯５は、格子状をした四角形ごとに谷折りされて右頁部７に巻きつけられる。
巻付帯４の端部の糊付部８ｂと、右頁部７の糊付部８ａとを対向させ、例えば糊又は両面テープ等で糊付し、固着してからくり手帳１が完成する（図２（ｃ））。巻付帯４と右頁部７とを糊付部８ａ，ｂで固着することによって、それぞれをしっかりと固定することができる。従って、使用中に巻付帯４の端部１０がヒラヒラと動いたり、外れたりすることもなく、使いやすい構造をしたからくり手帳１を提供することができる。
完成したからくり手帳１のおもて側には６個のＡ文字が並んでおり（左側の頁に３個のＡ文字、右側の頁に３個のＡ文字）、裏側には６個のＣ文字が並んでいる（図２（ｄ））。
＜からくり手帳の使い方＞【００１７】  次に、図３を用いてからくり手帳１の使い方について説明する。
からくり手帳１のおもて側の左右の頁には計６個のＡ文字が並んでいる（図３（ａ））。この最初の頁の左右の頁の中央部を開いていくと次の頁のＢ文字が見えてきて（図３（ｂ）、（ｃ））、さらに開いていくと左右の頁には計６個のＢ文字が並ぶ（図３（ｄ））。この状態のからくり手帳１の裏側の面には計６個のＡの文字が並んでいる（図３（ｅ））。
すなわち、実施例１では、計６頁（Ａ，Ｂ，Ｃ）のからくり手帳１を、１枚のシートから構成できるので、容易にかつ低コストで作製することができる。
【実施例２】
【００１８】  本考案の実施例２について図４を用いて説明する。図４は、３行、８列の多数の格子状をした四角形で構成される型紙２の実施例である。ここで、左頁部６及び右頁部７を除いた中間列（ここで、上端巻帯３、下端巻帯５、巻付帯４の部分を中間列と呼ぶ。）を同一の長さ寸法の６列に増やすことにより、からくり手帳１の頁数を計１２頁にできるので情報量を増やすことができる。すなわち、左頁部６及び右頁部７を除いた中間列の数を増減させることによって、目的とする頁数のからくり手帳１を自由に設計することができる。
一実施例として、この型紙２の両面（おもて面、裏面）の格子状をした四角形の一部には、地質時代の年表に関する文字や図形等が記載されている（図４（ａ）、（ｂ））。この実施例２の型紙２を用いるからくり手帳１の製作方法や使い方は、実施例１と同様なので詳細については省略する。
実施例２のからくり手帳１は、実施例１と同様に、巻付帯４の糊付部８ｂと右頁部７の糊付部８ａとでしっかりと固着されている。したがって、頁数を増やしても使用中に巻付帯４の端部１０がヒラヒラと動いたり、上端巻帯３や下端巻帯５が外れたりすることもない。
【実施例３】
【００１９】  本考案の実施例３について、図５〜図７を用いて説明する。図５は、３行、１１列の格子状をした多数の四角形で構成される型紙２の実施例である。ここで、左頁部６及び右頁部７を除いた中間列を９列に増やすことによって、からくり手帳の頁数が計１８頁にできるので情報量の多い元素の長周期表（１族から１８族までの長周期表）を作製することができる。この実施例３のからくり手帳１の製作方法や使い方は、実施例１や実施例２と共通する部分が含まれているので共通部分については省略して説明する。
＜型紙＞【００２０】  図５は、３行、１３列（左右の頁列（４列）＋中間列（９列））の長周期表の型紙２である。１８族までの長周期表を作製するので中間列（上端巻帯３、下端巻帯５、巻付帯４の列数）を同一の長さ寸法の９列にした。
このように、中間列の数を増やしていくと、実施例１や実施例２のようなシート状をした左頁部６と右頁部７では、からくり手帳１の次頁が開きにくく、使いにくいなどの問題点が明らかになった。
そこで、左頁部６を、縦方向に折り曲げられて形成される左外側頁部１１と左内側頁部１３とで構成した。同様に、右頁部７を、縦方向に折り曲げられて形成される右外側頁部１５と右内側頁部１７とで構成した。このように左頁部６と右頁部７に厚みを持たせることによって、からくり手帳１を開きやすく、使いやすくすることができることがわかった（図５）。
また、左外側頁部１１と左内側頁部１３で形成される左頁部６の内側と、右外側頁部１５と右内側頁部１７で形成される右頁部７の内側のそれぞれに、紙製や樹脂製などの厚紙１９ａ，ｂを挿入することによって、さらにからくり手帳１を開きやすく、使いやすくすることができることがわかった（図６）。本考案を用いると、列の数を増やすことによって頁数を増加させたような場合でも、巻きズレなどが起きにくくできるとともに使いやすくすることができる。
なお、厚紙１９ａ，ｂの厚さ等の寸法は、使用する型紙２の厚さや材質、列数等によって適宜選択するのが好ましい。その他のからくり手帳の製作方法は、実施例１や実施例２とほぼ同一なので詳細な説明は省略する。
＜からくり手帳の使い方＞【００２１】  実施例３のからくり手帳１の使い方について説明する（図７）。このからくり手帳１の最初の頁のおもて側の左側の１頁目には、１族の元素（Ｈ、Ｌｉ等）が、右側の２頁目には２族の元素（Ｂｅ、Ｍｇ等）が、それぞれ並んで表示されている（図７（ａ））。
最初の頁のおもて側の左右の列の中央部を開いていくと、次に３族と４族の元素の頁が現れる（図７（ｂ））。順にさらに左右の列の中央部を開いていくと（図７（ｃ））、１７族（Ｆ、Ｃｌ等）と１８族（Ｈｅ、Ｎｅ等）の元素が現れて最終頁となる（図７（ｄ））。
本考案を用いると、元素の長周期表をコンパクト化して持ちやすくできるとともに、学習上意味のある元素の周期表を表示することができるので教材としても大変有用である。
【実施例４】
【００２２】  本考案の実施例４について、図８〜図１０を用いて説明する。図８は、５行、５列の多数の格子状をした四角形で構成される型紙２を用いる単位換算表の例である。以下において、上述した実施例１〜３と共通する部分については一部省略して説明する。
＜型紙＞【００２３】  この型紙２は、行と列で区画される格子状をした多数の四角形を有するものであり、その両面（おもて面及び裏面）の一部の四角形には、それぞれの単位（長さ、面積、体積等）が記載されている１枚のシート状をしたものである（図８（ａ）、（ｂ））。
実施例４の型紙２は、一対の左頁部６と右頁部７と、一対の上端巻帯３と下端巻帯５とによって周囲が額縁状に形成されている。額縁状の内側には、中央に位置する１個の中央巻帯２３と、その上下に位置する２個の巻付帯（中央巻帯２３よりも１個多い数の巻付帯２１ａと巻付帯２１ｂ）で構成されている。すなわち、１個の中央巻帯２３と、１個の巻付帯を追加することによって、５行の型紙２を可能としたものであり、表示可能な情報量を増やすことによって単位の換算表として利用することができる。
また、２個の巻付帯（巻付帯２１ａ、巻付帯２１ｂ）の端部１０には、それぞれ糊付部２７ａ，ｂを有しており、対応する右頁部７の裏面にも糊付部２５ａ，ｂを有している。そして、糊付面を２個に増やすことにより、よりしっかりと固着できるので、行の数を増やした場合でも、巻きズレなどが起きたり、外れたりしにくくすることができる。
＜からくり手帳の製作方法及び使い方＞【００２４】  からくり手帳の製作方法は、上述した各実施例とほぼ同様である。すなわち、２個の巻付帯２１ａ、ｂは、連結部を谷折りして右頁部６に巻きつけられる（図９（ａ））。一方、上端巻帯３、下端巻帯５及び中央巻帯２３は、格子状をした四角形ごとに谷折りして右頁部７に巻きつける（図９（ｂ））。そして巻付帯２１ａ、ｂの端部の糊付部２７ａ，ｂは、対応する右頁部７の裏面の糊付部２５ａ，ｂに固着されてからくり手帳１が完成する（図９（ｃ））。
完成したからくり手帳１の最初の頁（１頁目）のおもて側の左側の頁には長さ、右側の頁には単位が現れる（図９（ｄ））。最初の頁（１頁目）の裏側には質量、単位が現れる（図１０（ａ））。
最初の頁（１頁目）のおもて側の中央部を開くと、２頁目の左側に面積、右側に単位の換算表が現れる。同様にして、さらに中央部を開いていくと、３頁目の左側に体積、右側に単位の換算表が現れる。小学生などがとっつきにくく、苦手とする単位の換算を、長さ、面積、体積と順に現れる実施例４のからくり手帳１を用いることによって親しみやすく学習することができる。
【実施例５】
【００２５】  本考案の実施例５について図１１を用いて説明する。図１１は、５行、７列の格子状をした多数の四角形で構成される型紙２の実施例である。ここで、左頁部６及び右頁部７を除いた中間列を５列に増やすことにより、からくり手帳１の頁数を１０頁にできるので実施例４よりもさらに情報量を増やすことができる。
一実施例として、この型紙２の両面（おもて面、裏面）の格子状をした四角形の一部には、日本の歴史が記載されている。この実施例５の型紙２を用いるからくり手帳１の製作方法や使い方は、実施例４と同様なので詳細については省略する。
【実施例６】
【００２６】  本考案の実施例６について、図１２、図１３を用いて説明する。図１２は、７行、５列の格子状をした多数の四角形で構成される型紙２を用いる短周期表の例である。以下において、上述した実施例４及び実施例５と共通する部分については省略して説明する。
＜型紙＞【００２７】  この型紙２は、行と列で区画される多数の格子状をした四角形を有するものであり、その両面（おもて面及び裏面）の一部の四角形には、それぞれの元素が記載されている１枚のシート状をしたものである（図１２（ａ）、（ｂ））。
実施例４の型紙２は、一対の左頁部６と右頁部７と、一対の上端巻帯３と下端巻帯５とによって周囲が額縁状に形成されている。額縁状の内側には、中央に位置する２個の中央巻帯３３ａ，ｂと、それらの上下に位置する３個の巻付帯（巻付帯３１ａ，ｂ，ｃ）で構成されている。すなわち、２個の中央巻帯３３ａ，ｂと、３個の巻付帯（中央巻帯よりも１個多い数の巻付帯）によって、７行の型紙２を可能としたものであり、表示可能な情報量を増やすことによって短周期表として利用することができる。
また、３個の巻付帯（巻付帯３１ａ、ｂ，ｃ）の端部には、それぞれ糊付部３７ａ，ｂ，ｃを有しており、対応する右頁部７の裏面にも３個の糊付部３５ａ，ｂ，ｃを有している。このように、糊付面を３個にでき、よりしっかりと固着できるので、さらに巻きズレなどが起きたり、外れたりしにくくすることができる。
この実施例６の型紙２を用いるからくり手帳１の製作方法や使い方は、実施例４や実施例５とほぼ同様なので詳細については省略する（図１３）。
【実施例７】
【００２８】  本考案の実施例７について、図１４、図１５を用いて説明する。図１４は、７行、６列の格子状をした多数の四角形で構成される型紙２を用いる短周期表の例である。
この実施例７の型紙２を用いるからくり手帳１の製作方法や使い方は、実施例４〜実施例６とほぼ同様なので詳細については省略する（図１５）。
【実施例８】
【００２９】  本考案の実施例８について、図１６、図１７を用いて説明する。図１６は、７行、７列の格子状をした多数の四角形で構成される型紙２を用いる遷移金属表の例である。
この実施例８の型紙２を用いるからくり手帳１の製作方法や使い方は、実施例４〜実施例７とほぼ同様なので詳細については省略する（図１５）。
【実施例９】
【００３０】  本考案の実施例９について、図１８、図１９を用いて説明する。図１８は、７行、１３列の多数の格子状をした四角形で構成される型紙２を用いる長周期表の例である。
実施例９では、列数が多いので実施例３と同様に、左頁部６を、縦方向に折り曲げられて形成される左外側頁部１１と左内側頁部１３で構成し、右頁部７を、縦方向に折り曲げられて形成される右外側頁部１５と右内側頁部１７で構成するようにした（図１８）。
また、左外側頁部１１と左内側頁部１３で形成される左頁部６の内側と、右外側頁部１５と右内側頁部１７で形成される右頁部７の内側のそれぞれに厚紙１９ａ，ｂを挿入した（図１９）。このようにすることによって、からくり手帳１を開きやすく、使いやすくすることができる。
なお、中間列（上端巻帯３、下端巻帯５、巻付帯３１ａ、ｂ、ｃ、中央巻帯３３ａ，ｂ等）が増えて長くなる場合には、上端巻帯３と下端巻帯５の幅が狭いと、巻いているうちに外れたりしてほどけ易くなるという問題点が認められた。ここで、上端巻帯３と下端巻帯５の幅を広くすることによって、ほどけにくくできることがわかった。すなわち、上端巻帯３及び下端巻帯５は、巻付帯３１ａ，ｂ，ｃや中央巻帯３３ａ，ｂよりも幅広のものを使用するのが好ましいことがわかった。
実施例９の発明を用いると、列の数を増やすことによって頁数を増加させたり、行の数を増やしたりするような場合でも、さらに巻きズレなどが起きたり、ほどけたり、外れたりしにくくすることができる。
なお、からくり手帳１の製作方法や使用方法は、実施例３〜実施例８とほぼ同様なので詳細な説明は省略する。
【産業上の利用可能性】
【００３１】  本考案は、元素の周期表や単位換算表などのように、行数や列数が多く、情報量の多いからくり手帳１として利用をすることができる。
【符号の説明】
【００３２】  １  からくり手帳
２  型紙
３  上端巻帯
４  巻付帯
５  下端巻帯
６  左頁部
７  右頁部
８ａ，ｂ  糊付部
９  連結部
１０  端部
１１  左外側頁部
１３  左内側頁部
１５  右外側頁部
１７  右内側頁部
１９ａ，ｂ  厚紙
２１ａ，ｂ  巻付帯
２３  中央巻帯
２５ａ，ｂ  糊付部
２７ａ，ｂ  糊付部
３１ａ，ｂ，ｃ  巻付帯
３３ａ，ｂ  中央巻帯
３５ａ，ｂ，ｃ  糊付部
３７ａ，ｂ，ｃ  糊付部
【図１】
0003204613.tif 000003
【図２】
0003204613.tif 000004
【図３】
0003204613.tif 000005
【図４】
0003204613.tif 000006
【図５】
0003204613.tif 000007
【図６】
0003204613.tif 000008
【図７】
0003204613.tif 000009
【図８】
0003204613.tif 000010
【図９】
0003204613.tif 000011
【図１０】
0003204613.tif 000012
【図１１】
0003204613.tif 000013
【図１２】
0003204613.tif 000014
【図１３】
0003204613.tif 000015
【図１４】
0003204613.tif 000016
【図１５】
0003204613.tif 000017
【図１６】
0003204613.tif 000018
【図１７】
0003204613.tif 000019
【図１８】
0003204613.tif 000020
【図１９】
0003204613.tif 000021
【図２０】
0003204613.tif 000022
【図２１】
0003204613.tif 000023
【図２２】
0003204613.tif 000024